(57)【要約】【課題】アンテナ近傍に表示部や文字等を配置しなくとも、アンテナの位置を報知することができる通信端末を提供する。【解決手段】通信端末１００が、電波を送信又は受信するアンテナ１０と、アンテナ１０の位置を制御に応じて報知する表示部２０と、送信又は受信を用いる動作が要求されたか否かを判定し、送信又は受信を用いる動作が要求されたと判定した場合に、表示部２０を制御して、アンテナ１０の位置を表示させる制御部１３と、を備える。【選択図】図１
2011082806.tif 000002
【特許請求の範囲】
【請求項１】
電波を送信又は受信するアンテナと、
前記アンテナの位置を制御に応じて報知する報知部と、
前記送信又は受信を用いる動作が要求されたか否かを判定する判定部と、
前記動作が要求されたと前記判定部が判定した場合に、前記報知部を制御して、前記アンテナの位置を報知させる制御部と、
を備えることを特徴とする通信端末。
【請求項２】
前記報知部は、前記アンテナの位置を表示することを特徴とする請求項１に記載の通信端末。
【請求項３】
前記報知部は、前記アンテナの位置を音声出力することを特徴とする請求項１に記載の通信端末。
【請求項４】
複数の前記アンテナと、
前記複数のアンテナの各受信レベルを検出するレベル検出部と、
前記各受信レベルを比較し、当該受信レベルが最も高い前記アンテナを選択する選択部と、
を備え、
前記制御部は、前記動作が要求されたと前記判定部が判定した場合に、前記選択部が選択した前記アンテナの位置を前記報知部に報知させることを特徴とする請求項１に記載の通信端末。
【発明の詳細な説明】
【技術分野】
【０００１】
本発明は、自端末に配設されたアンテナの位置を報知する通信端末に関する。
【背景技術】
【０００２】
薄型化及び小型化された通信端末のアンテナは、通信端末を持つユーザの手などで覆われてしまう可能性がある。そして、アンテナが覆われてしまった場合には、送受信される電波が、アンテナを覆う手などによって遮断されてしまうため、アンテナの特性が劣化してしまうという問題があった。
【０００３】
そこで、通信端末に配設されたアンテナの位置をユーザに認識させることで、アンテナが覆われないようにすることを試みた通信端末が開示されている（特許文献１、特許文献２参照）。
【０００４】
特許文献１に開示された通信端末では、アンテナの指向性を表示する指向性表示部が、アンテナ近傍の筐体面に配置されている。そして、指向性表示部の位置をユーザが認識し、その位置からユーザが手を離すことで、アンテナに送受信される電波が遮断されてしまうことを防いでいる（特許文献１参照）。
【０００５】
また、特許文献２に開示された通信端末では、内蔵されたアンテナの位置を示す文字等が、アンテナ近傍の筐体面に刻印されている。そして、筐体面に刻印された文字等の位置をユーザが認識し、その位置からユーザが手を離すことで、アンテナに送受信される電波が遮断されてしまうことを防いでいる（特許文献２参照）。
【先行技術文献】
【特許文献】
【０００６】
【特許文献１】特開２００４−３２８４２９号公報
【特許文献２】特開２００６−３１０９１１号公報
【発明の概要】
【発明が解決しようとする課題】
【０００７】
上述したように、先願に係る通信端末は、アンテナ近傍の筐体面に表示部や文字等を配置しなければならなかった。しかしながら、薄型化及び小型化された筐体では、表示部などの構成部品のレイアウト（配置）が厳しく制限される場合があるため、アンテナ近傍の筐体面に表示部や文字等を必ずしも配置できるとは限らなかった。
【０００８】
また、音声通話やデータ通信などで通信端末が使用されている間、通信端末の筐体を握っているユーザの手は、その筐体に対しては、ほとんど位置が変わらない。このため、ユーザは、通信端末を使用する前に、一度だけアンテナの位置を認識して、その位置から離れた筐体面を握ればよい。したがって、アンテナの位置は、通信端末が使用される前にユーザに報知されれば充分であり、使用されている間に報知される必要はない。それにも関わらず、先願に係る通信端末は、通信端末が使用されているか否かに関わらず、表示部や刻印された文字等により、アンテナの位置をユーザに常に報知してしまうという問題があった。
【０００９】
本発明は、前記の諸点に鑑みてなされたものであり、アンテナ近傍に表示部や文字等を配置しなくとも、アンテナの位置を報知することができる通信端末を提供することを目的とする。
【課題を解決するための手段】
【００１０】
本発明は、上記の課題を解決するためになされたものであり、電波を送信又は受信するアンテナと、前記アンテナの位置を制御に応じて報知する報知部と、前記送信又は受信を用いる動作が要求されたか否かを判定する判定部と、前記動作が要求されたと前記判定部が判定した場合に、前記報知部を制御して、前記アンテナの位置を報知させる制御部と、を備えることを特徴とする通信端末である。
【００１１】
また本発明は、前記報知部が、前記アンテナの位置を表示することを特徴とする通信端末である。
【００１２】
また本発明は、前記報知部が、前記アンテナの位置を音声出力することを特徴とする通信端末である。
【００１３】
また本発明は、複数の前記アンテナと、前記複数のアンテナの各受信レベルを検出するレベル検出部と、前記各受信レベルを比較し、当該受信レベルが最も高い前記アンテナを選択する選択部と、を備え、前記制御部は、前記動作が要求されたと前記判定部が判定した場合に、前記選択部が選択した前記アンテナの位置を前記報知部に報知させることを特徴とする通信端末である。
【発明の効果】
【００１４】
本発明によれば、通信端末は、電波の送信又は受信を用いる動作が要求された場合に、アンテナ近傍に配設されることを要しない報知部によってアンテナの位置を報知するので、その位置からユーザが手などを離すことで、アンテナの特性を良好に保つことができる。
【図面の簡単な説明】
【００１５】
【図１】本発明の第１の実施形態における通信端末１００の構成を示すブロック図である。
【図２】本発明の第１の実施形態における通信端末１００のアンテナ位置を示す図である。
【図３】本発明の第２の実施形態における通信端末１１０の構成を示すブロック図である。
【図４】本発明の第３の実施形態における通信端末１２０の構成を示すブロック図である。
【図５】本発明の第３の実施形態における通信端末１２０のアンテナ位置を示す図である。
【図６】本発明の第３の実施形態における通信端末１２０の動作を示すフローチャートである。
【発明を実施するための形態】
【００１６】
[第１の実施形態]
本発明の第１の実施形態について図面を参照して詳細に説明する。図１には、発明の第１の実施形態における通信端末１００の構成を示すブロック図が示されている。通信端末１００は、他の通信端末（不図示）と通信する。通信端末１００は、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）を用いた無線通信を実行してもよい。通信端末１００は、上部筐体１と、下部筐体２と、ヒンジ６を備える。
【００１７】
ヒンジ６は、回転自由な支持構造を有し、通信端末１００の上部に位置する上部筐体１と、通信端末１００の下部に位置する下部筐体２とを支持する。これにより、上部筐体１と下部筐体２は、ユーザの操作によって開閉されることが可能である。なお、ヒンジ６は、上部筐体１と下部筐体２とが開いているか否かを示す開閉信号を、後述する制御部１３に出力してもよい。
【００１８】
上部筐体１は、その表面に表示部２０を備える。また、上部筐体１は、その内部に上部基板３を備える。そして、上部基板３は、表示部２０と接続されている。
【００１９】
表示部２０は、後述する制御部１３の制御に応じて、後述するアンテナ１０が配設されている位置を示す図を表示する。アンテナ１０が配設されている位置を示す図については、図２に後述する。なお、表示部２０は、アンテナ１０の近傍に配設されることを要しない。
【００２０】
下部筐体２は、その内部に下部基板４を備える。そして、下部基板４は、整合回路１１と、無線部１２と、制御部１３を備える。また、下部基板４は、上下接続基板５と上部基板３を介して、表示部２０に接続されている。また、下部筐体２は、操作入力を検出する操作部（不図示）を備える。操作部（不図示）は、操作入力を検出し、検出した操作入力に応じた信号（以下、「操作信号」と称する）を制御部１３に出力する。
【００２１】
アンテナ１０は、整合回路１１に接続されている。そして、アンテナ１０は、他の通信端末（不図示）から電波を受信し、受信した電波に応じた信号を、無線部１２に整合回路１１を介して出力する。また、アンテナ１０は、整合回路１１を介して無線部１２から入力された変調信号に応じて、他の通信端末に電波を送信する。ここで、アンテナ１０は、一例として、上部筐体１と下部筐体２との空間に配設されているものとする。
【００２２】
整合回路１１は、アンテナ１０と無線部１２との整合を保つ。例えば、整合回路１１は、アンテナ１０と無線部１２とのインピーダンスの整合を保ってもよい。また、整合回路１１は、アンテナ１０と無線部１２との信号を中継する。
【００２３】
無線部１２は、アンテナ１０が受信した電波に応じた信号を復調し、復調信号として制御部１３に出力する。また、無線部１２は、制御部１３の制御に応じて、所定の変調信号をアンテナ１０に整合回路１１を介して出力する。
【００２４】
制御部１３は、電波の送信又は受信を用いる動作が要求されたか否か、を判定する。ここで、電波の送信又は受信を用いる動作とは、例えば、音声通話やデータ通信などである。以下、電波の送信又は受信を用いる動作を「データ通信等」と称する。
【００２５】
制御部１３は、操作部（不図示）から操作信号が入力された場合に、データ通信等が要求されたと判定する。一方、操作部から操作信号が入力されていない場合には、制御部１３は、データ通信等が要求されていないと判定する。
【００２６】
また、制御部１３は、データ通信等が要求されているか否かを、次のように判定してもよい。
制御部１３は、データ通信等が要求されたか否かを判定するために、上部筐体１と下部筐体２とが開いているか否かを検出する。制御部１３は、例えば、ヒンジ６の回転位相を検出することで、上部筐体１と下部筐体２とが開いているか否かを検出してもよい。上部筐体１と下部筐体２とが開いていることを検出した場合、制御部１３は、データ通信等が要求されたと判定する。
【００２７】
制御部１３は、データ通信等が要求されたと判定した場合、下部基板４と上下接続基板５と上部基板３とを介して表示部２０を制御し、アンテナ１０が配設されている位置（以下、「アンテナ位置」と称する）を、表示部２０に表示（報知）させる。表示部２０にアンテナ位置を表示させた後、制御部１３は、無線部１２を制御して、所定の変調信号をアンテナ１０に出力させる。これにより、変調信号は、アンテナ１０を介して電波となって、他の通信端末に送信される（通信開始）。また、制御部１３は、無線部１２から復調信号を受信してもよい（通信開始）。なお、制御部１３は、一定時間の経過後に、表示部２０を制御して、アンテナ位置を示す図の表示を終了させてもよい。
【００２８】
次に、アンテナ１０が配設されている位置を示す図の一例を説明する。
図２には、通信端末１００のアンテナ位置を示す図が示されている。図２に示されているように、アンテナ位置は、通信端末１００の部分を指す矢印を用いて示されてもよい。なお、アンテナ位置は、文章、文字、図形、記号などを用いて示されてもよい。
【００２９】
このように、制御部１３は、電波の送信又は受信を用いる動作が要求された場合、アンテナ１０の近傍に配設されることを要しない表示部２０に、アンテナ１０の位置を示す図等を表示させる。これにより、アンテナ１０の位置がユーザに認識され、その位置からユーザの手が離れるので、通信端末１００は、アンテナ１０の特性を良好に保つことができる。
【００３０】
[第２の実施形態]
本発明の第２の実施形態について図面を参照して詳細に説明する。第２の実施形態の通信端末１１０は、後述する音声出力部２１によってアンテナ位置が報知される点のみが、第１の実施形態の通信端末１００と異なる。以下、第１の実施形態との相違点についてのみ説明する。
【００３１】
図３には、本発明の第２の実施形態における通信端末１１０の構成を示すブロック図が示されている。通信端末１１０は、第１の実施形態の通信端末１００に対して、さらに音声出力部２１を備える。
【００３２】
制御部１３は、データ通信等が要求されたと判定した場合に、表示部２０を制御する代わりに音声出力部２１を制御して、アンテナ位置を示す情報を音声出力（報知）させる。
【００３３】
音声出力部２１は、制御部１３の制御に応じて、アンテナ位置を示す情報を音声出力する。例えば、音声出力部２１は、「アンテナは、ヒンジ部にあります。」と音声出力してもよい。
【００３４】
このように、制御部１３は、電波の送信又は受信を用いる動作が要求された場合、音声出力部２１に、アンテナ１０の位置を示す情報を音声出力させる。これにより、アンテナ１０の位置がユーザに認識され、その位置からユーザの手が離れるので、通信端末１１０は、アンテナ１０の特性を良好に保つことができる。
【００３５】
[第３の実施形態]
本発明の第３の実施形態について図面を参照して詳細に説明する。第３の実施形態の通信端末１２０は、アンテナ１０のほかに、アンテナ１５を備える点のみが、第１の実施形態の通信端末１００と異なる。以下、第１の実施形態との相違点についてのみ説明する。
【００３６】
通信端末１２０は、第１の実施形態の通信端末１００に対して、さらに、アンテナ１５と、整合回路１６を備える。
【００３７】
アンテナ１５は、整合回路１６に接続されている。そして、アンテナ１５は、他の通信端末（不図示）から電波を受信し、受信した電波に応じた信号を、無線部１２に整合回路１６を介して出力する。また、アンテナ１５は、整合回路１６を介して無線部１２から入力された変調信号に応じて、他の通信端末に電波を送信する。ここで、アンテナ１５は、一例として、下部筐体２の下部（ヒンジ６から離れた側）に配設されているものとする。
【００３８】
整合回路１６は、アンテナ１５と無線部１２との整合を保つ。例えば、整合回路１６は、アンテナ１５と無線部１２とのインピーダンスの整合を保ってもよい。また、整合回路１６は、アンテナ１５と無線部１２との信号を中継する。
【００３９】
無線部１２は、アンテナ１０のほかに、アンテナ１５が受信した電波に応じた信号を復調し、復調信号として制御部１３に出力する。また、無線部１２は、制御部１３の制御に応じて、所定の変調信号をアンテナ１５に整合回路１６を介して出力する。
【００４０】
制御部１３は、データ通信等が要求されたと判定した場合、アンテナ１０が受信した電波に応じた信号の受信レベルと、アンテナ１５が受信した電波に応じた信号の受信レベルを検出する。さらに、制御部１３は、アンテナ１０が受信した電波に応じた信号の受信レベルと、アンテナ１５が受信した電波に応じた信号の受信レベルとを比較して、受信レベルが最も高いアンテナを選択する。具体的には、制御部１３は、アンテナ１０が受信した電波に応じた信号の受信レベルが、アンテナ１５が受信した電波に応じた信号の受信レベル以上か否かを判定し、受信レベルが最も高いアンテナを選択する。
【００４１】
選択されたアンテナがアンテナ１０である場合、制御部１３は、整合回路１１を介してアンテナ１０と無線部１２を接続する。さらに、制御部１３は、アンテナ１０の位置（以下、「アンテナ位置Ａ」と称する）を示す図を、表示部２０に表示（報知）させる。一方、選択されたアンテナがアンテナ１５である場合、制御部１３は、整合回路１６を介してアンテナ１５と無線部１２を接続する。さらに、制御部１３は、アンテナ１５の位置（以下、「アンテナ位置Ｂ」と称する）を示す図を、表示部２０に表示（報知）させる。
【００４２】
図５には、通信端末１２０のアンテナ位置を示すブロック図が示されている。図５（Ａ）は、アンテナ位置Ａを示す図である。ここで、アンテナ位置を指す矢印は、アンテナ１０が配設されている位置を指している。また、図５（Ｂ）は、アンテナ位置Ｂを示す図である。ここで、アンテナ位置を指す矢印は、アンテナ１５が配設されている位置を指している。
【００４３】
次に、通信端末１２０の動作を説明する。
図６には、通信端末１２０の動作を示すフローチャートが示されている。まず、アンテナ１０及び１５は、他の通信装置（基地局）が送信した電波を受信しているものとする。さらに、制御部１３は、データ通信等が要求されたと判定したものとする。
【００４４】
次に、制御部１３は、アンテナ１０の受信レベルを検出する（ステップＳ１）。また、制御部１３は、アンテナ１５の受信レベルを検出する（ステップＳ２）。そして、制御部１３は、アンテナ１０の受信レベルと、アンテナ１５の受信レベルを比較する。具体的には、制御部１３は、アンテナ１０が受信した電波に応じた信号の受信レベルが、アンテナ１５が受信した電波に応じた信号の受信レベル以上か否かを判定し、受信レベルが高いほうのアンテナを選択する（ステップＳ３）。
【００４５】
ステップＳ３において、選択されたアンテナがアンテナ１０であったとする。この場合、制御部１３は、整合回路１１を介してアンテナ１０と無線部１２を接続する（ステップＳ４）。さらに、制御部１３は、アンテナ位置Ａを示す図を、表示部２０に表示させる（ステップＳ５）。
【００４６】
一方、ステップＳ３において、選択されたアンテナがアンテナ１５であったとする。この場合、制御部１３は、整合回路１６を介してアンテナ１５と無線部１２を接続する（ステップＳ６）。さらに、制御部１３は、アンテナ位置Ｂを示す図を、表示部２０に表示させる（ステップＳ７）。
【００４７】
そして、制御部１３は、他の通信装置（基地局）との通信を開始する。具体的には、制御部１３は、所定の変調信号に応じた電波を、選択されたアンテナから出力させることで、他の通信装置（基地局）と通信する。また、制御部１３は、他の通信装置（基地局）から送信され、選択されたアンテナによって受信された電波を、無線部１２を介して、復調信号として取得することで、他の通信装置（基地局）と通信する（ステップＳ８）。
【００４８】
このように、制御部１３は、複数のアンテナを備えた場合であっても、表示部２０に、選択されたアンテナの位置を示す情報を表示させる。これにより、選択されたアンテナの位置がユーザに認識され、その位置からユーザの手が離れるので、通信端末１２０は、選択されたアンテナの特性を良好に保つことができる。
【００４９】
以上、この発明の実施形態について図面を参照して詳述してきたが、具体的な構成はこの実施形態に限られるものではなく、この発明の要旨を逸脱しない範囲の設計等も含まれる。
【００５０】
例えば、通信端末は、ＤＴＶ（Ｄｉｇｉｔａｌ Ｔｅｌｅｖｉｓｉｏｎ）に用いられる通信端末、Ｂｌｕｅｔｏｏｔｈ（登録商標）を用いられる通信端末、ＷＬＡＮ（Ｗｉｒｅｌｅｓｓ ＬＡＮ）に用いられる通信端末、ＧＰＳ（Ｇｌｏｂａｌ Ｐｏｓｉｔｉｏｎｉｎｇ Ｓｙｓｔｅｍ）に用いられる通信端末であってもよい。
【００５１】
また、例えば、上記の実施形態では、折畳型の通信端末（携帯電話機）を例として挙げたが、本発明は、スライド型、ストレート型構造の通信端末（携帯電話機）に適用されてもよい。
【００５２】
また、例えば、上記の実施形態では、1台の通信端末を用いたシステムについて説明したが、本発明は、複数の通信端末を用いたシステムに適用されてもよい。
【００５３】
また、本発明に記載のアンテナは、アンテナ１０と、アンテナ１５に対応し、判定部は、制御部１３に対応し、制御部は、制御部１３に対応し、報知部は、表示部２０と、音声出力部２１に対応し、レベル検出部は、制御部１３に対応し、選択部は、制御部１３に対応する。
【符号の説明】
【００５４】
１…上部筐体、２…下部筐体、３…上部基板、４…下部基板、５…上下接続基板、６…ヒンジ、１０…アンテナ、１１…整合回路、１２…無線部、１３…制御部、１５…アンテナ、１６…整合回路、２０…表示部、２１…音声出力部、１００…通信端末、１１０…通信端末、１２０…通信端末
【図１】
2011082806.tif 000003
【図２】
2011082806.tif 000004
【図３】
2011082806.tif 000005
【図４】
2011082806.tif 000006
【図５】
2011082806.tif 000007
【図６】
2011082806.tif 000008